(57)【要約】【課題】分割および合成を用いて入力を一つ以上のハプティック効果に変換するシステムを提供する。【解決手段】システムは、入力を受け取る。システムは、入力を複数の入力サブ信号にさらに分割する。システムは、複数の入力サブ信号をハプティック信号にさらに変換する。システムは、ハプティック信号に基づいて一つ以上のハプティック効果をさらに生成する。【選択図】図１
2019145171.tif 000002
【特許請求の範囲】
【請求項１】
分割および合成を用いて入力を一つ以上のハプティック効果に変換するための、コンピュータ実装される方法であって、
入力を受け取るステップと、
前記入力を複数の入力サブ信号に分割するステップと、
前記複数の入力サブ信号をハプティック信号に変換するステップと、
前記ハプティック信号に基づいて前記一つ以上のハプティック効果を生成するステップと、
を含む、コンピュータ実装される方法。
【請求項２】
前記入力を分割するステップは、一つ以上のフィルタを用いて前記入力をフィルタリングするステップをさらに含み、
各入力サブ信号は、周波数帯域を含む請求項１に記載のコンピュータ実装される方法。
【請求項３】
前記入力を受け取るステップは、入力信号のセグメントを受け取るステップをさらに含む、請求項２に記載のコンピュータ実装される方法。
【請求項４】
前記複数の入力サブ信号を前記ハプティック信号に変換するステップは、
分析パラメータに基づいて前記複数の入力サブ信号に優先順位を付けるステップと、
前記複数の入力サブ信号から一つ以上の入力サブ信号を選択するステップと、
一つ以上の選択された前記入力サブ信号に基づいて前記ハプティック信号を生成するステップと、を含む、請求項３に記載のコンピュータ実装される方法。
【請求項５】
前記入力を受け取るステップは、
マルチメディアファイルを受け取るステップと、
前記マルチメディアファイルから入力信号を抽出するステップと、をさらに含む、請求項２に記載のコンピュータ実装される方法。
【請求項６】
前記複数の入力サブ信号を前記ハプティック信号に変換するステップは、
前記複数の入力サブ信号を複数のハプティックサブ信号に変換するステップと、
前記複数のハプティックサブ信号を混合して前記ハプティック信号にするステップと、を含む、請求項５に記載のコンピュータ実装される方法。
【請求項７】
前記複数の入力サブ信号を前記複数のハプティックサブ信号に変換するステップは、
入力サブ信号に係数と正弦搬送波形とを乗算するステップ、
前記入力サブ信号に係数を乗算するステップ、または
周波数成分を前記入力サブ信号の第一周波数帯域から前記入力サブ信号の第二周波数帯域にシフトするステップ
の少なくとも一つをさらに含む、請求項６に記載のコンピュータ実装される方法。
【請求項８】
前記周波数成分を前記入力サブ信号の前記第一周波数帯域から前記入力サブ信号の前記第二周波数帯域にシフトするステップは、前記入力サブ信号の高速フーリエ変換を行うステップをさらに含む、請求項７に記載のコンピュータ実装される方法。
【請求項９】
前記周波数成分を前記入力サブ信号の前記第一周波数帯域から前記入力サブ信号の前記第二周波数帯域にシフトするステップは、
前記入力サブ信号の前記第一周波数帯域内の複数の周波数の複数の高速フーリエ変換値を平均し、平均を前記入力サブ信号の前記第二周波数帯域内の周波数に割り当てるステップ、
前記入力サブ信号の前記第一周波数帯域内の複数の周波数の複数の高速フーリエ変換値を合計し、合計を前記入力サブ信号の前記第二周波数帯域内の周波数に割り当てるステップ、
前記入力サブ信号の前記第一周波数帯域内の複数の周波数の複数の高速フーリエ変換値から最大絶対値を有する高速フーリエ変換値を選択し、選択された前記高速フーリエ変換値を前記入力サブ信号の前記第二周波数帯域内の周波数に割り当てるステップ、
前記入力サブ信号の前記第一周波数帯域内の周波数の高速フーリエ変換値を、前記入力サブ信号の前記第二周波数帯域内の複数の周波数に割り当てるステップ、または
前記入力サブ信号の前記第一周波数帯域内の周波数の高速フーリエ変換値を、前記入力サブ信号の前記第二周波数帯域内の最低周波数に割り当てるステップ
の少なくとも一つをさらに含む、請求項８に記載のコンピュータ実装される方法。
【請求項１０】
前記複数のハプティックサブ信号を混合して前記ハプティック信号にするステップは、
前記複数のハプティックサブ信号を合計して前記ハプティック信号にし、前記ハプティック信号を正規化するステップ、
前記ハプティック信号を一つ以上の時間ウィンドウに分割し、各時間ウィンドウで前記複数のハプティックサブ信号の複数の周波数を分析し、各時間ウィンドウで前記複数のハプティックサブ信号からハプティックサブ信号を前記ハプティック信号として選択するステップであって、選択された前記ハプティックサブ信号は、前記複数の周波数のうちの一つの周波数を含む、ステップ、または
前記入力信号を一つ以上の時間ウィンドウに分割し、各時間ウィンドウで前記複数の入力サブ信号の各入力サブ信号のパワースペクトル密度寄与率を計算し、各時間ウィンドウで前記ハプティック信号として複数の対応する前記ハプティックサブ信号の重み付け合成を計算するステップであって、各ハプティックサブ信号の重みは、各対応する入力サブ信号の前記パワースペクトル密度寄与率に基づく、ステップ
の少なくとも一つを含む、請求項６に記載のコンピュータ実装される方法。
【請求項１１】
分割および合成を用いて入力を一つ以上のハプティック効果に変換するためのシステムであって、
ハプティック変換モジュールを格納するように構成されたメモリと、
前記メモリに格納された前記ハプティック変換モジュールを実行するように構成されたプロセッサと、を含み、
前記ハプティック変換モジュールは、入力を受け取るように構成され、
前記ハプティック変換モジュールは、前記入力を複数の入力サブ信号に分割するようにさらに構成され、
前記ハプティック変換モジュールは、前記複数の入力サブ信号をハプティック信号に変換するようにさらに構成され、
前記ハプティック変換モジュールは、前記ハプティック信号に基づいて前記一つ以上のハプティック効果を生成するようにさらに構成される、システム。
【請求項１２】
前記ハプティック変換モジュールは、一つ以上のフィルタを用いて前記入力をフィルタリングするようにさらに構成され、
各入力サブ信号は、周波数帯域を含む、請求項１１に記載のシステム。
【請求項１３】
前記ハプティック変換モジュールは、入力信号のセグメントを受け取るようにさらに構成され、
前記ハプティック変換モジュールは、分析パラメータに基づいて前記複数の入力サブ信号に優先順位を付けるようにさらに構成され、
前記ハプティック変換モジュールは、前記複数の入力サブ信号から一つ以上の入力サブ信号を選択するようにさらに構成され、
前記ハプティック変換モジュールは、一つ以上の選択された前記入力サブ信号に基づいて前記ハプティック信号を生成するようにさらに構成される請求項１２に記載のシステム。
【請求項１４】
前記ハプティック変換モジュールは、マルチメディアファイルを受け取るようにさらに構成され、
前記ハプティック変換モジュールは、前記マルチメディアファイルから入力信号を抽出するようにさらに構成され、
前記ハプティック変換モジュールは、前記複数の入力サブ信号を複数のハプティックサブ信号に変換するようにさらに構成され、
前記ハプティック変換モジュールは、前記複数のハプティックサブ信号を混合して前記ハプティック信号にするようにさらに構成される、請求項１２に記載のシステム。
【請求項１５】
プロセッサにより実行されると請求項１から１０のいずれか一項に記載の方法を前記プロセッサに実施させる命令が格納された、コンピュータ可読媒体。
【発明の詳細な説明】
【技術分野】
【０００１】
一実施形態は、一般にデバイスを目的とし、より具体的には、ハプティック効果を生み出すデバイスを目的とする。
【背景技術】
【０００２】
ハプティクスは、力、振動、および運動等のハプティックフィードバック効果（すなわち「ハプティック効果」）をユーザに与えることでユーザの触感を利用する、触覚および力フィードバック技術である。モバイルデバイス、タッチスクリーンデバイス、およびパーソナルコンピュータ等のデバイスは、ハプティック効果を生成するように構成できる。一般に、ハプティック効果を生成できるエンベデッドハードウェア（アクチュエータなど）に対する呼び出しが、デバイスのオペレーティングシステム（「ＯＳ」）にプログラミングされうる。これらの呼び出しは、どのハプティック効果を再生するかを特定する。例えば、ユーザが、例えばボタン、タッチスクリーン、レバー、ジョイスティック、ホイール、または他の何らかの制御部を用いてデバイスと対話する際に、デバイスのＯＳが、制御回路を通じてエンベデッドハードウェアに再生コマンドを送信しうる。そして、エンベデッドハードウェアが適切なハプティック効果を生み出す。
【０００３】
デバイスは、ハプティック効果が他のコンテンツに組み込まれるように、ハプティック効果の出力をオーディオなどの他のコンテンツの出力と連携させるように構成できる。例えば、オーディオ効果開発者は、デバイスにより出力できる、機関銃砲火、爆発、または車の衝突音などのオーディオ効果を開発しうる。さらに、ビデオ効果などの他のタイプのコンテンツが開発され、その後デバイスにより出力されうる。その後ハプティック効果開発者はデバイス用にハプティック効果をオーサリングし、デバイスがこのハプティック効果を他のコンテンツとともに出力するように構成されうる。
【発明の概要】
【発明が解決しようとする課題】
【０００４】
しかし、このようなプロセスには、オーディオ効果または他のタイプのコンテンツを適切に補足するハプティック効果をオーサリングするためのハプティック効果開発者の個人的判断が一般に必要である。オーディオ効果または他のタイプのコンテンツを補足するオーサリング不良のハプティック効果は、ハプティック効果がオーディオ効果または他のコンテンツと「かみ合わない」全体として不協和の効果を生み出しうる。この種のユーザ体験は、一般に望ましくない。
【課題を解決するための手段】
【０００５】
一実施形態は、分割および合成を用いて入力を一つ以上のハプティック効果に変換するシステムである。このシステムは、入力を受け取る。システムは、入力を複数の入力サブ信号にさらに分割する。システムは、複数の入力サブ信号を、単一のハプティック信号、または、異なるハプティック出力デバイスで別々に再生されうる複数のハプティック信号もしくは混合され単一のハプティック信号にされうる複数のハプティック信号にさらに変換する。システムは、ハプティック信号に基づいて一つ以上のハプティック効果をさらに生成する。
【図面の簡単な説明】
【０００６】
【図１】本発明の一実施形態による、システムのブロック図である。
【図２】本発明の一実施形態による、システムにより行われるハプティック変換機能のフロー図である。
【図３】本発明の一実施形態による、周波数帯域分析および優先順位付けを用いて、分析され一つ以上のハプティック効果に変換される複数の入力サブ信号の図である。
【図４】本発明の別の実施形態による、システムにより行われるハプティック変換機能のフロー図である。
【図５】本発明の一実施形態による、入力信号の周波数をシフトするステップの例の図である。
【図６】本発明の一実施形態による、複数のハプティックサブ信号を混合するように構成されたハプティックミキサのブロック図である。
【図７】本発明の一実施形態による、ハプティック変換モジュールの機能のフロー図である。
【発明を実施するための形態】
【０００７】
さらなる実施形態、詳細、利点、および修正は、添付の図面とあわせて考慮されるべき以下の好ましい実施形態の詳細な説明から明らかとなるであろう。
【０００８】
一実施形態は、オーディオ信号等の入力を、ハプティック効果を生成するために用いることができるハプティック信号に変換できるシステムである。このシステムは、入力を複数の周波数帯域にフィルタリングでき、ここで各周波数帯域は入力のサブ信号を含み、システムはさらに、一つ以上の分析パラメータに基づいて複数の周波数帯域に優先順位を付けることができる。一般に、システムは、優先順位を付けた周波数帯域のリストを作成しうる。システムは、優先順位を付けたリストから一つ以上の周波数帯域をさらに選択し、選択された周波数帯域（単数または複数）を用いて、選択された周波数帯域（単数または複数）の合成に少なくとも部分的に基づくハプティック信号を生成しうる。例えばシステムは、オーディオ信号を帯域通過フィルタリングにかけて四つの周波数帯域にし、マグニチュードが最大のオーディオサブ信号を含む周波数帯域に基づいてハプティック信号を生成しうる。システムのハプティック変換機能は、デバイスで再生できる出力ファイルを提供するオフライン機能として、または再生時に処理を行うアルゴリズムとして、実装されうる。
【０００９】
別の実施形態は、オーディオ信号等の入力を、ハプティック効果を生成するために用いることができるハプティック信号に変換できるシステムである。このシステムは、マルチメディアファイル（例えばオーディオファイルまたはビデオファイル）を読み込み、マルチメディアファイルからオーディオ信号等の入力信号を抽出しうる。システムは、入力信号を一つ以上の入力サブ信号にフィルタリングしうる。例えばシステムは、相補的な遮断周波数を有する異なる帯域通過フィルタを用いて、入力信号を異なる相補的な入力サブ信号に分割しうる。次いでシステムは、各入力サブ信号につきハプティックサブ信号を作成しうる。システムは、ハプティックサブ信号をさらに混合または別途合成して、元の入力信号に対応する全体のハプティック信号にしうる。システムのハプティック変換機能は、ソフトウェアモジュール、モバイルアプリケーション、またはオーディオ／ビデオプレーヤおよび編集ツールのプラグインとして実装されうる。
【００１０】
図１は、本発明の一実施形態によるシステム１０のブロック図である。一実施形態では、システム１０はモバイルデバイスの一部であり、システム１０は、モバイルデバイスにハプティック変換機能を提供する。別の実施形態では、システム１０は着用可能デバイスの一部であり、システム１０は、着用可能デバイスにハプティック変換機能を提供する。着用可能デバイスの例には、リストバンド、ヘッドバンド、眼鏡、リング、レッグバンド、衣類と一体化されたアレイ、またはユーザが身に付けまたはユーザによって保持されうる他の任意のタイプのデバイスが含まれる。一部の着用可能デバイスは、「ハプティック式」、すなわちハプティック効果を生成する機構を含むものとすることができる。別の実施形態では、システム１０は、デバイス（例えばモバイルデバイスまたは着用可能デバイス）から切り離されており、デバイスにハプティック変換機能を遠隔提供する。単一のシステムとして図示されているが、システム１０の機能は、分散型システムとして実装されてもよい。システム１０は、バス１２または情報通信のための他の通信機構と、バス１２に結合された情報処理のためのプロセッサ２２とを含む。プロセッサ２２は、任意のタイプの汎用または特定用途向けプロセッサであってよい。システム１０は、プロセッサ２２により実行される情報および命令を格納するメモリ１４をさらに含む。メモリ１４は、ランダムアクセスメモリ（「ＲＡＭ」）、リードオンリメモリ（「ＲＯＭ」）、磁気もしくは光ディスクなどのスタティックストレージ、または他の任意のタイプのコンピュータ可読媒体の任意の組み合わせで構成することができる。
【００１１】
コンピュータ可読媒体は、プロセッサ２２によりアクセス可能な任意の利用可能な媒体であればよく、揮発性および不揮発性媒体の両方、取外し可能および取外し不能媒体、通信媒体、および記憶媒体を含むことができる。通信媒体は、コンピュータ可読命令、データ構造、プログラムモジュールまたは他のデータを、搬送波または他のトランスポート機構などの変調データ信号に含むことができ、公知技術のその他の任意の形の情報配信媒体を含みうる。記憶媒体には、ＲＡＭ、フラッシュメモリ、ＲＯＭ、消去可能プログラム可能リードオンリメモリ（「ＥＰＲＯＭ」）、電気的消去可能プログラム可能リードオンリメモリ（「ＥＥＰＲＯＭ」）、レジスタ、ハードディスク、取外し可能ディスク、コンパクトディスクリードオンリメモリ（「ＣＤ−ＲＯＭ」）、または公知技術の他の任意の形の記憶媒体を含みうる。
【００１２】
一実施形態では、メモリ１４は、プロセッサ２２により実行されたときに機能を提供するソフトウェアモジュールを格納する。モジュールは、一実施形態ではシステム１０のほかモバイルデバイスの残りの部分にオペレーティングシステム機能を提供する、オペレーティングシステム１５を含む。モジュールは、以下でより詳細に開示するように、分割および合成を用いて入力を一つ以上のハプティック効果に変換する、ハプティック変換モジュール１６をさらに含む。ある実施形態では、ハプティック変換モジュール１６は、分割および合成を用いて入力を一つ以上のハプティック効果に変換するための特定の個別の機能を各モジュールが提供する、複数のモジュールを含みうる。システム１０は通常、Ｉｍｍｅｒｓｉｏｎ  ＣｏｒｐｏｒａｔｉｏｎによるＩｎｔｅｇｒａｔｏｒ（登録商標）ソフトウェアなど、追加の機能を含むための一つ以上の追加のアプリケーションモジュール１８を含む。
【００１３】
システム１０は、リモートソースからデータを送信および／または受信する実施形態では、赤外線、無線、Ｗｉ−Ｆｉまたはセルラネットワーク通信等の移動無線ネットワーク通信を提供するために、ネットワークインタフェースカード等の通信デバイス２０をさらに含む。他の実施形態では、通信デバイス２０は、イーサネット（登録商標）接続またはモデム等の有線ネットワーク接続を提供する。
【００１４】
プロセッサ２２は、グラフィック表現またはユーザインタフェースをユーザに表示するための液晶ディスプレイ（「ＬＣＤ」）等のディスプレイ２４に、バス１２を介してさらに結合される。ディスプレイ２４は、プロセッサ２２から信号を送受信するように構成されたタッチスクリーン等の接触感知式入力デバイスでもよく、マルチタッチ式タッチスクリーンでもよい。
【００１５】
システム１０は、一実施形態では、アクチュエータ２６をさらに含む。プロセッサ２２は、生成されたハプティック効果に関連したハプティック信号をアクチュエータ２６に送信し、さらにアクチュエータ２６が、振動触覚ハプティック効果、静電摩擦ハプティック効果、または変形ハプティック効果等のハプティック効果を出力する。アクチュエータ２６は、アクチュエータ駆動回路を含む。アクチュエータ２６は、例えば、電動モータ、電磁アクチュエータ、ボイスコイル、形状記憶合金、電気活性ポリマ、ソレノイド、偏心回転質量モータ（「ＥＲＭ：ｅｃｃｅｎｔｒｉｃ  ｒｏｔａｔｉｎｇ  ｍａｓｓ  ｍｏｔｏｒ」）、リニア共振アクチュエータ（「ＬＲＡ：ｌｉｎｅａｒ  ｒｅｓｏｎａｎｔ  ａｃｔｕａｔｏｒ」）、圧電アクチュエータ、高帯域幅アクチュエータ、電気活性ポリマ（「ＥＡＰ：ｅｌｅｃｔｒｏａｃｔｉｖｅ  ｐｏｌｙｍｅｒ」）アクチュエータ、静電摩擦ディスプレイ、または超音波振動発生器でもよい。代替的実施形態では、システム１０は、アクチュエータ２６に加えて、一つ以上の追加のアクチュエータを含みうる（図１には示されない）。アクチュエータ２６は、ハプティック出力デバイスの一例であり、ここでハプティック出力デバイスとは、駆動信号に応答して振動触覚ハプティック効果、静電摩擦ハプティック効果、または変形ハプティック効果等のハプティック効果を出力するように構成されたデバイスである。代替的実施形態では、アクチュエータ２６は、他の何らかのタイプのハプティック出力デバイスに置換できる。さらに、他の代替的実施形態では、システム１０はアクチュエータ２６を含まなくてもよく、システム１０とは別個のデバイスが、アクチュエータまたはハプティック効果を生成する他のハプティック出力デバイスを含み、システム１０は、生成されたハプティック信号を、通信デバイス２０を通じてそのデバイスに送る。
【００１６】
システム１０は、一実施形態では、スピーカ２８をさらに含む。プロセッサ２２は、スピーカ２８にオーディオ信号を送信してもよく、さらにスピーカ２８がオーディオ効果を出力する。スピーカ２８は、例えば、ダイナミックラウドスピーカ、動電ラウドスピーカ、圧電ラウドスピーカ、磁気歪みラウドスピーカ、静電ラウドスピーカ、リボン型平面磁気ラウドスピーカ、屈曲波ラウドスピーカ、フラットパネルラウドスピーカ、ハイルエアモーショントランスデューサ、プラズマアークスピーカ、およびデジタルラウドスピーカでありうる。代替的実施形態では、システム１０は、スピーカ２８に加えて、一つ以上の追加のスピーカを含みうる（図１には示されない）。さらに、他の代替的実施形態では、システム１０は、スピーカ２８を含まなくてもよく、システム１０とは別個のデバイスが、オーディオ効果を出力するスピーカを含み、システム１０は、オーディオ信号を、通信デバイス２０を通じてそのデバイスに送る。
【００１７】
システム１０は、一実施形態では、センサ３０をさらに含む。センサ３０は、音、動作、加速度、生体信号、距離、流量、力／圧力／歪み／屈曲、湿度、線形位置、方位／傾斜、無線周波数、回転位置、回転速度、スイッチの操作、温度、振動、または可視光強度等であるがこれに限定されない、エネルギーの一形態または他の物理的性質を検出するように構成されうる。センサ３０は、検出エネルギーまたは他の物理的性質を、電気信号または仮想センサ情報を表す任意の信号に変換するようにさらに構成されうる。センサ３０は、加速度計、心電図、脳波図、筋電計、眼電図、電気的パラトグラフ、電気皮膚反応センサ、容量センサ、ホール効果センサ、赤外センサ、超音波センサ、圧力センサ、光ファイバセンサ、曲りセンサ（または屈曲センサ）、力感知レジスタ、ロードセル、ＬｕＳｅｎｓｅ  ＣＰＳ２  １５５、ミニチュア圧力トランスデューサ、圧電センサ、ストレインゲージ、湿度計、線形位置タッチセンサ、線形ポテンショメータ（またはスライダ）、線形可変差動変圧器、コンパス、傾斜計、磁性タグ（または無線周波数識別タグ）、回転エンコーダ、回転ポテンショメータ、ジャイロスコープ、オンオフスイッチ、温度センサ（温度計、熱電対、抵抗温度検知器、サーミスタ、または温度変換集積回路等）、マイクロホン、光度計、高度計、生体モニタ、カメラ、または光依存レジスタ等であるがこれに限定されない任意のデバイスであってよい。代替的実施形態では、システム１０は、センサ３０に加えて、一つ以上の追加のセンサを含みうる（図１には示されない）。これらの実施形態の一部では、センサ３０および一つ以上の追加のセンサは、センサアレイまたは他の何らかのタイプのセンサの集まりの一部であってもよい。さらに、他の代替的実施形態では、システム１０は、センサ３０を含まなくてもよく、システム１０とは別個のデバイスが、エネルギーの一形態または他の物理的性質を検出するセンサを含み、検出されたエネルギーまたは他の物理的性質を、電気信号または仮想センサ情報を表す他のタイプの信号に変換する。それからこのデバイスが、変換された信号を、通信デバイス２０を通じてシステム１０に送ることができる。
【００１８】
図２は、本発明の一実施形態による、システムにより行われるハプティック変換機能のフロー図である。一実施形態では、図２の機能、ならびに図４の機能および図７の機能は、それぞれ、メモリまたは他のコンピュータ可読媒体または有形媒体に格納されたソフトウェアにより実装され、プロセッサにより実行される。この実施形態では、各機能は、ハプティック変換モジュール（図１のハプティック変換モジュール１６など）により行われうる。他の実施形態では、各機能は、ハードウェアにより（例えば、特定用途向け集積回路（「ＡＳＩＣ」）、プログラム可能ゲートアレイ（「ＰＧＡ」）、フィールドプログラム可能ゲートアレイ（「ＦＰＧＡ」）などを使用して）、またはハードウェアとソフトウェアの任意の組み合わせにより行われうる。
【００１９】
ハプティック変換機能は、入力信号の一つ以上の「チャンク」（セグメントとしても識別される）を受け取ることと、入力信号の各チャンクを処理することと、変更された入力信号のチャンクをアクチュエータ等のハプティック出力デバイスで再生することとを含みうる。ある実施形態では、入力は、オーディオ信号またはオーディオデータを含む他のタイプのオーディオ入力であってもよい。他の代替的実施形態では、入力は、ビデオ信号またはビデオデータを含む他のタイプのビデオ入力であってもよい。さらに他の代替的実施形態では、入力は、加速度信号または加速度データを含む他のタイプの加速度入力であってもよい。さらに他の代替的実施形態では、入力は、方位データを含む方位信号、周囲光データを含む周囲光信号、または、メディアファイルに関連付けられ、センサ３０等のセンサで検知することもできる別のタイプの信号であってもよい。センサの出力は予め記録されてもよく、媒体ファイルとともに提供されてもよい。したがってセンサは、システムに取り付けられていても、取り付けられていなくてもよい。
【００２０】
この実施形態によれば、フローが２１０から開始し、２１０で入力信号チャンクが受け取られる。前述のように、入力信号チャンクは、入力信号のセグメントである。一実施形態では、入力信号チャンクは、入力信号全体を含みうる。フローは、２２０へ進む。
【００２１】
２２０では、入力信号チャンクがフィルタリング（例えば帯域通過フィルタリング）されて、複数の入力サブ信号（周波数帯域としても識別される）が作成される。より具体的には、入力信号チャンクに一つ以上のフィルタ（例えば帯域通過フィルタ）がかけられて入力信号チャンクのいくつかのセグメントが除去され、入力信号チャンクの残りのセグメントが特定の周波数帯域内の一つ以上の周波数を含むようにすることができる。フィルタをかけた後に残った入力信号チャンクのセグメントは、入力サブ信号または周波数帯域として識別される。複数のフィルタを用いる実施形態では、各フィルタが特定の周波数帯域に対応し、複数のパスで入力信号チャンクに複数のフィルタがかけられ（入力信号チャンクに各パスで異なるフィルタがかけられ）、各フィルタが、そのフィルタに対応する周波数帯域内の一つ以上の周波数を含む入力信号チャンクのセグメントを作成しうる。ある実施形態では、入力サブ信号は、入力信号全体のチャンクを含みうる。
【００２２】
例えば、第一フィルタは低周波数帯域に相当し、第二フィルタは中周波数帯域に相当し、第三フィルタは高周波帯域に相当するようにすることができる。入力信号チャンクに第一フィルタがかけられ、低周波数帯域内の一つ以上の周波数を含む第一入力サブ信号が作成されうる。次いで入力信号チャンクに第二フィルタが適用され、中周波数帯域内の一つ以上の周波数を含む第二入力サブ信号が作成されうる。次いで入力信号チャンクに第三フィルタがかけられ、高周波帯域内の一つ以上の周波数を含む第三入力サブ信号が作成されうる。
【００２３】
２２０で作成される入力サブ信号（すなわち周波数帯域）は、図２では周波数帯域２２１、２２２、２２３、および２２４として示されている。しかし、任意の数の入力サブ信号が作成されてよく、各入力サブ信号は、任意のタイプの周波数帯域内の一つ以上の周波数を含むように定義することができる。入力サブ信号の実現例は、図３とともにさらに後述する。その後、フローは２３０へ進む。
【００２４】
２３０では、分析パラメータに基づいて入力サブ信号（例えば周波数帯域２２１〜２２４）に優先順位が付けられる。より具体的には、各入力サブ信号の一つ以上の特性が分析され、分析パラメータが一つ以上の特性を定義する。特性の例には、周波数、継続時間、包絡線、密度、およびマグニチュードを含むことができる。その後、各入力サブ信号の分析された特性に基づいて、入力サブ信号に順序（すなわち優先順位）が付けられうる。例えば、各入力サブ信号の分析された特性に基づいてリスト内で一つ以上の入力サブ信号に優先順位を付けた、一つ以上の入力サブ信号の優先順位付きリストが生成されうる。
【００２５】
一例として、分析パラメータは、入力サブ信号のマグニチュードとして定義されうる。複数の入力サブ信号（すなわち周波数帯域）が作成され、最大マグニチュード値を決定するために各入力サブ信号が分析されうる。各入力サブ信号の最大マグニチュード値が比較され、対応する最大マグニチュード値に基づいて入力サブ信号に優先順位が付けられうる。
【００２６】
分析パラメータを用いて入力サブ信号を分析し、優先順位を付けることの実現例は、図３とともにさらに後述する。その後、フローは２４０へ進む。
【００２７】
２４０では、優先順位が付けられた入力サブ信号から選択された一つ以上の入力サブ信号に基づいてハプティック信号が計算され、生成される。より具体的には、優先順位が付けられた入力サブ信号から一つ以上の入力サブ信号がまず選択される。例えば、入力サブ信号の優先順位付きリストから、最高優先順位の入力サブ信号（または最高優先順位の複数の入力サブ信号）が選択されうる。その後、選択された入力サブ信号（単数または複数）に基づいてハプティック信号が計算される。より具体的には、選択された入力サブ信号（単数または複数）の一つ以上の特性を含むようにハプティック信号が計算される。ある実施形態では、ハプティック信号は、選択された入力サブ信号（単数または複数）の全ての特性を含むように計算されうる。複数の入力サブ信号がある実施形態では、ハプティック信号は、少なくとも部分的に、入力サブ信号の組み合わせに基づいて計算されうる。その後、ハプティック信号が生成される。
【００２８】
一例として、最大マグニチュード値が最も高い入力サブ信号が選択されうる。入力サブ信号の最大マグニチュード値を用いて、ハプティック信号が計算されうる。その後、このハプティック信号を用いて、マグニチュードが最大の入力サブ信号に基づくハプティック効果が生成されうる。別の例として、最大マグニチュード値が最も高い三つの入力サブ信号が選択されうる。三つの入力サブ信号の最大マグニチュード値を用いて、ハプティック信号が計算されうる。例えば、三つの最大マグニチュード値の平均または他の計算が計算されうる。この平均値または他の計算値を用いて、ハプティック信号が生成されうる。その後、このハプティック信号を用いて、マグニチュードが最大の三つの入力サブ信号に基づくハプティック効果が生成されうる。その後、フローは２５０へ進む。
【００２９】
２５０では、生成されたハプティック信号が、「歪みハプティック信号」へと「歪められる」。より具体的には、生成されたハプティック信号が「歪み」関数に入力され、歪み関数が、入力信号に含まれるデータを「歪め」または変形させて出力信号を作成することができ、この出力信号も「歪み信号」として識別される。したがって、生成されたハプティック信号を歪み関数に入力することにより、歪み関数が、生成されたハプティック信号に含まれるデータを歪めうる。生成されたハプティック信号に含まれるデータを歪めることにより、生成されたハプティック信号を最終的に「歪みハプティック信号」に変形することができる。ある実施形態では、歪みハプティック信号は、特定のハプティック出力デバイスに、より適しているため、歪みハプティック信号は、一つ以上のハプティック効果を生成するために特定のハプティック出力デバイスで再生されうる。
【００３０】
一例では、ＬＲＡまたはＥＲＭの場合に、歪み関数は入力ハプティック信号を包絡処理し、または入力ハプティック信号の最大マグニチュード値を用いて、生成される出力ハプティック信号のマグニチュードを計算することができ、ここで出力ハプティック信号のマグニチュードは、出力ハプティック信号により生成されるハプティック効果のマグニチュードと相関する。別の例では、圧電アクチュエータ、高帯域幅アクチュエータ、またはＥＡＰアクチュエータの場合に、歪み関数は入力ハプティック信号を波形として再生し、または別のタイプのアルゴリズムを行って入力ハプティック信号を出力ハプティック信号に変換しうる。
【００３１】
ある実施形態では、２５０は省略されてもよい。その後、フローは２６０へ進む。
【００３２】
２６０では、ハプティック信号（２５０が行われる場合には歪みハプティック信号、または２５０が省略される場合には生成されたハプティック信号）が、図１のアクチュエータ２６等のハプティック出力デバイスに送られ、ハプティック出力デバイスが、ハプティック信号に基づいて一つ以上のハプティック効果を生成する。したがって、選択された入力サブ信号（単数または複数）に基づいて、一つ以上のハプティック効果が生成されうる。その後、フローは終了する。
【００３３】
ある実施形態では、図２に示したハプティック変換機能は、モバイルデバイスまたはタッチスクリーンデバイスなど、ハプティック効果を出力するように構成されたデバイスで、実時間で行われることができる。他の代替的実施形態では、図２に示したハプティック変換機能は、コンピュータまたは他のタイプの計算機によりオフラインで行われることもでき、結果として生じたハプティック信号が、ハプティック効果を出力するように構成されたデバイスに送られればよい。
【００３４】
図３は、本発明の一実施形態による、周波数帯域分析および優先順位付けを用いて分析され、一つ以上のハプティック効果に変換される、複数の入力サブ信号の図である。前述のように、入力信号３０１は、一つ以上のフィルタを用いてフィルタリングされて、入力サブ信号３０２、３０３、および３０４を含む複数の入力サブ信号が作成されうる。入力サブ信号３０２は、入力信号の２００Ｈｚの中心周波数の帯域通過を表し、第一フィルタを用いて作成されうる。入力サブ信号３０３は、入力信号の１０００Ｈｚの中心周波数の帯域通過を表し、第二フィルタを用いて作成されうる。入力サブ信号３０４は、入力信号の５０００Ｈｚの中心周波数の帯域通過を表し、第三フィルタを用いて作成されうる。
【００３５】
この実施形態によれば、各入力サブ信号は、複数のセグメントまたはウィンドウに分割されうる。図の実施形態では、ウィンドウ３１０、３２０、および３３０の例が示されており、ウィンドウ３１０、３２０、および３３０はそれぞれ、入力サブ信号３０２、３０３、および３０４のセグメントを含む。代替的実施形態では、入力サブ信号は、図３に示されていない他のウィンドウを含みうる。さらに、ある実施形態では、入力サブ信号のウィンドウが連続して配置され、前のウィンドウが終わる位置から後続のウィンドウが始まっていてもよい。
【００３６】
本実施形態によれば、ウィンドウごとに、各入力サブ信号の一つ以上の特性が分析パラメータに基づいて分析されうる。したがって、図の実施形態では、ウィンドウ３１０、３２０、および３３０のウィンドウごとに、入力サブ信号３０２の一つ以上のオーディオ特性が分析パラメータに基づいて分析されうる。同様に、ウィンドウ３１０、３２０、および３３０のウィンドウごとに、入力サブ信号３０３および３０４の一つ以上のオーディオ特性も、分析パラメータに基づいて分析されうる。ウィンドウ３１０、３２０、および３３０のウィンドウごとに、分析に基づいて入力サブ信号３０２、３０３、および３０４に優先順位が付けられうる。さらに、ウィンドウ３１０、３２０、および３３０のウィンドウごとに、優先順位付けに基づいて入力サブ信号３０２、３０３、および３０４から入力サブ信号が選択され、選択された入力サブ信号がハプティック信号に変換されうる。分析パラメータの例には、周波数、継続時間、包絡線、密度、およびマグニチュードが含まれうる。
【００３７】
一例では、分析パラメータは、マグニチュードとすることができる。この例では、ウィンドウ３１０で、入力サブ信号３０２、３０３、および３０４のマグニチュードを分析することができる。さらに、ウィンドウ３１０で、入力サブ信号３０２のマグニチュードが最大であることから、入力サブ信号３０２を選択することができる。その後、入力サブ信号３０２を用いて、ウィンドウ３１０のハプティック信号を生成することができる。同様に、ウィンドウ３２０で、入力サブ信号３０２、３０３、および３０４のマグニチュードを分析することができる。さらに、ウィンドウ３２０で、入力サブ信号３０２のマグニチュードが最大であることから、入力サブ信号３０２を選択することができる。その後、入力サブ信号３０２を用いて、ウィンドウ３２０のハプティック信号を生成することができる。同様に、ウィンドウ３３０で、入力サブ信号３０２、３０３、および３０４のマグニチュードを分析することができる。さらに、ウィンドウ３３０で、入力サブ信号３０３のマグニチュードが最大であることから、入力サブ信号３０３を選択することができる。その後、入力サブ信号３０３を用いて、ウィンドウ３３０のハプティック信号を生成することができる。
【００３８】
一例では、分析パラメータは密度とすることができる。一実施形態では、密度は、信号の異なる周波数に分散された信号のパワーまたはエネルギーとすることができる。この例では、ウィンドウ３１０で、入力サブ信号３０２、３０３、および３０４の密度を分析することができる。さらに、ウィンドウ３１０で、入力サブ信号３０４の密度が最も高いことから、入力サブ信号３０４を選択することができる。その後、入力サブ信号３０４を用いて、ウィンドウ３１０のハプティック信号を生成することができる。同様に、ウィンドウ３２０で、入力サブ信号３０２、３０３、および３０４の密度を分析することができる。さらに、ウィンドウ３２０で、入力サブ信号３０４の密度が最も高いことから、入力サブ信号３０４を選択することができる。その後、入力サブ信号３０４を用いて、ウィンドウ３２０のハプティック信号を生成することができる。同様に、ウィンドウ３３０で、入力サブ信号３０２、３０３、および３０４の密度を分析することができる。さらに、ウィンドウ３３０で、入力サブ信号３０３の密度が最も高いことから、入力サブ信号３０３を選択することができる。その後、入力サブ信号３０３を用いて、ウィンドウ３３０のハプティック信号を生成することができる。
【００３９】
図４は、本発明の別の実施形態による、システムにより行われるハプティック変換機能のフロー図である。一実施形態によれば、ハプティック変換機能は、オーディオファイルまたはビデオファイル等のマルチメディアファイルを入力として受け取り、ハプティック信号を出力として生成する、ソフトウェアプログラムまたはアルゴリズムにより行われうる。ソフトウェアプログラムまたはアルゴリズムは、スタンドアロン型ソフトウェアプログラム、モバイルアプリケーション、またはＰｒｏＴｏｏｌｓなどの他のオーディオ／ビデオ編集ツールのプラグインでありうる。別の実施形態では、ハプティック変換機能は、マルチメディアファイルを受け取ってマルチメディアファイルのコンテンツを出力するマルチメディアプレイヤにより行われ、その際コンテンツが一つ以上のハプティック効果によって強化されうる。マルチメディアプレイヤは、モバイルデバイスまたはコンピュータ用に調整されうる。一実施形態では、ハプティック変換モジュール（図１のハプティック変換モジュール１６など）により、機能が行われてもよい。
【００４０】
この実施形態によれば、フローが開始し、マルチメディアファイル４１０が受け取られる。マルチメディアファイル４１０は、マルチメディアデータを含む任意のコンピュータファイルである。一実施形態例では、マルチメディアファイル４１０は、オーディオデータを含むコンピュータファイルである。別の実施形態例では、マルチメディアファイル４１０は、ビデオデータを含むコンピュータファイルである。別の実施形態例では、マルチメディアファイル４１０は、オーディオデータおよびビデオデータの両方を含むコンピュータファイルである。さらに別の実施形態例では、マルチメディアファイル４１０は、他の何らかのタイプのデータを含むコンピュータファイルである。マルチメディアファイル４１０は、オンラインでストリーミングされ、または、メモリ、ディスク、または他のタイプの非一時的コンピュータ可読媒体等の物理デジタルサポート上に提供されうる。その後、マルチメディアファイル４１０からオーディオ信号４２０（図４ではオーディオトラック４２０として識別される）が抽出される。オーディオ信号４２０は、マルチメディアファイル４１０から抽出されうる入力信号の一例である。代替的実施形態では、オーディオ信号４２０は、ビデオ信号、加速度信号、方位信号、周囲光信号、またはセンサで捕らえられたデータを含みうる別のタイプの信号等の別のタイプの入力信号で置換されてもよい。
【００４１】
その後、オーディオ信号４２０がフィルタリング（例えば帯域通過フィルタリング）されて、入力サブ信号（すなわち周波数帯域）の一種である複数のオーディオサブ信号が作成される。より具体的には、オーディオ信号４２０に一つ以上のフィルタ（例えば帯域通過フィルタ）がかけられてオーディオ信号４２０のいくつかのセグメントが除去され、オーディオ信号４２０の残りのセグメントが特定の周波数帯域内の一つ以上の周波数を含むようにすることができる。フィルタをかけた後に残るオーディオ信号４２０のセグメントは、オーディオサブ信号として識別される。複数のフィルタを用いる実施形態では、各フィルタが特定の周波数帯域に対応し、複数のパスでオーディオ信号４２０に複数のフィルタがかけられ（オーディオ信号４２０に各パスで異なるフィルタがかけられ）、各フィルタが、そのフィルタに対応する周波数帯域内の一つ以上の周波数を含むオーディオ信号４２０のセグメントを作成しうる。図の実施形態では、一つ以上のフィルタは、帯域通過フィルタ４３０、４４０、および４５０により表されている。しかし、任意の数のフィルタが用いられうる。さらに、任意のタイプのフィルタが用いられうる。ある実施形態では、オーディオサブ信号は、オーディオ信号４２０の全体を含みうる。
【００４２】
ある実施形態では、各フィルタにつき定義される遮断周波数の選択は、元の入力信号中に存在する周波数のほとんどまたは全部をカバーする連続した相補的な入力サブ信号（すなわち周波数帯域）を有するような方法で行われうる。異なるフィルタの数および帯域幅の選択は、入力信号（例えばオーディオ信号４２０）の性質に関連すればよく、ハプティック信号の作成に影響しうる。一部の実施形態では、ハプティック出力デバイスの共振周波数を用いて、フィルタの数および帯域幅が定義されうる。例えば、第一入力サブ信号がハプティック出力デバイスの共振周波数より低い周波数の成分を含み、第二入力サブ信号がハプティック出力デバイスの共振周波数の周辺の周波数の成分を含み、第三入力サブ信号がハプティック出力デバイスの共振周波数より大きい周波数の成分を含む、三つの入力サブ信号を、三つのフィルタを用いて生み出すことができる。
【００４３】
次に、オーディオサブ信号または他のタイプの入力サブ信号が、複数のハプティック変換アルゴリズムを用いてハプティックサブ信号に変換される。図の実施形態では、ハプティック変換アルゴリズムは、アルゴリズム４３１、４４１、および４５１により表されている。しかし、任意の数のハプティック変換アルゴリズムが用いられうる。ある実施形態では、各オーディオサブ信号は、固有のハプティック変換アルゴリズムを用いてハプティック信号に変換される。したがって、複数のオーディオサブ信号または他のタイプの入力サブ信号を、複数のハプティック変換アルゴリズムが複数のハプティックサブ信号に変換（ｃｏｎｖｅｒｔ）しうる。
【００４４】
ハプティック変換アルゴリズムの例には、（ａ）オーディオサブ信号に既定の係数とハプティック出力デバイスの共振周波数で実現される正弦搬送波形とを乗算するステップ、（ｂ）オーディオサブ信号に既定の係数を乗算するステップ、または（ｃ）オーディオサブ信号の周波数成分を、ある周波数帯域から、ハプティック出力デバイスの共振周波数の周りの別の周波数帯域にシフトし、元のオーディオサブ信号の形を保つために、シフトされたオーディオサブ信号に元のオーディオサブ信号を乗算するステップを含むことができる。周波数シフトアルゴリズムの例は、図５ととともにさらに説明する。
【００４５】
その後、ハプティックサブ信号は、ハプティックミキサ４６０を用いて混合されハプティック信号にされる。ハプティックミキサ４６０は、いくつかの混合技術の一つにより、ハプティックサブ信号を混合することができる。混合技術の例は、図６とともにさらに説明する。
【００４６】
ある実施形態では、ハプティック信号は、その最大絶対値を用いて１に正規化されうる（図４には示されない）。他の実施形態では、正規化は省略されうる。
【００４７】
さらに、ある実施形態では、ハプティック信号から一つ以上の「ノイズ振動」が除去されうる（図４には示されない）。「ノイズ振動」とは、所定値からの所定閾値未満のずれを含むハプティック信号のセグメントである。このセグメントは、「ノイズ」として識別でき、ハプティック信号から除去されうる。これにより、ハプティック信号がハプティック出力デバイスに送られたときに、「より綺麗な」（すなわち、より適切で強力な）ハプティック効果を生み出す。
【００４８】
様々な技術を用いて、ハプティックトラックから「ノイズ」として識別できる一つ以上の「ノイズ振動」を除去することができる。一つの技術は、ハプティック信号から複数の「チャンク」または「ウィンドウ」のサンプルをとり、これらのサンプルの平均絶対値（または別の実装では最大絶対値）を計算し、サンプルの計算値が所定閾値より低い場合にはサンプルを「ノイズ」として識別する。その後、「ノイズ」として識別された全てのサンプルの値が、０に減少される。別の技術は、時間ウィンドウのインターリーブを用いる。時間ウィンドウごとに、ハプティック信号の正規化値が、二つのより大きな時間ウィンドウ内、すなわち（ａ）その時間ウィンドウ自体および先行する時間ウィンドウ内、ならびに（ｂ）その時間ウィンドウ自体および後続の時間ウィンドウ内で、チェックされる。これらの二つの時間ウィンドウ内で、平均正規化絶対値（または別の実施態様では最大正規化絶対値）が所定閾値より低い場合には、その時間ウィンドウ内の成分は「ノイズ」として識別され、その値は０に減少される。他の実施形態では、ハプティック信号からの一つ以上のノイズ振動の除去は、省略されうる。
【００４９】
その後、ハプティック信号は、受け取ったハプティック信号に基づいて一つ以上のハプティック効果を生成および出力するように構成されたデバイス４７０に送られる。デバイス４７０は、マルチメディアファイル４１０から、オーディオ信号、ビデオ信号、オーディオデータおよびビデオデータの両方を含む信号、または他の何らかのタイプの入力信号であってもよい入力信号を受け取るようにさらに構成される。デバイス４７０は、入力信号に基づいてオーディオ効果、ビデオ効果、または他のタイプの効果等の一つ以上の効果を生成および出力するようにさらに構成されうる。さらに、デバイス４７０は、オーディオ効果、ビデオ効果、または他のタイプの効果を「補う」ように一つ以上のハプティック効果を生成するように、さらに構成されうる。デバイス４７０は、その構成（すなわちハプティック出力デバイスの数および位置）を考慮して、多様なハプティック効果および／または信号を同時に再生することができる。
【００５０】
図５は、本発明の一実施形態による、入力信号の周波数シフトの例を示す。前述のように、ハプティック変換アルゴリズムは、入力信号の周波数成分を、ある周波数帯域から、ハプティック出力デバイスの共振周波数の周りの別の周波数帯域にシフトし、元の入力信号の形を保つためにシフトされた入力信号に最終的に元の入力信号を乗算することにより、入力信号をハプティック信号に変換しうる。図５に示した例では、入力信号５１０が、ハプティック信号５２０に周波数シフトされる。より具体的には、入力信号５１０は、３００Ｈｚ〜５００Ｈｚの周波数帯域内の周波数成分を含む。しかし、入力信号５１０がハプティック信号５２０に周波数シフトされると、入力信号の周波数成分は、３００Ｈｚ〜５００Ｈｚの周波数帯域から１００Ｈｚ〜２００Ｈｚの周波数帯域にシフトされる。したがって、ハプティック信号５２０は、１００Ｈｚ〜２００Ｈｚの周波数帯域内の周波数成分を含む。
【００５１】
ある実施形態では、周波数シフトは、入力信号５１０の高速フーリエ変換を用いて達成される。さらに、「シフト元（ｓｈｉｆｔ−ｔｏ）」周波数帯域（例えば入力信号５１０の元の周波数帯域）および「シフト先（ｓｈｉｆｔ−ｆｒｏｍ）」周波数帯域（例えばハプティック信号５２０のシフトされた周波数帯域）のサイズに応じて、複数の周波数シフト技術の一つを用いることができる。これは、シフト元周波数帯域およびシフト先周波数帯域のサイズに応じて、シフト元周波数帯域内の複数の周波数がシフト先周波数帯域内の一つの周波数で置換されるか、またはシフト元周波数帯域内の一つの周波数（ｂａｎｄ）がシフト先周波数帯域内の複数の周波数で置換されるためである。
【００５２】
シフト元周波数帯域がシフト先周波数帯域より大きいシナリオでは、シフト先周波数帯域の各周波数が、シフト元周波数帯域の複数の周波数を表す。これを達成するためには、ある実施形態によれば、三つの周波数シフト技術の一つを用いることができる。第一の周波数シフト技術は、シフト元周波数帯域の複数の周波数の高速フーリエ変換値を平均し、平均をシフト先周波数帯域の対応する周波数に割り当てることである。第二の周波数シフト技術は、シフト元周波数帯域の複数の周波数の高速フーリエ変換値を合計し、合計をシフト先周波数帯域の対応する周波数に割り当てることである。第三の周波数シフト技術は、高速フーリエ変換の絶対値が最大のシフト元周波数帯域の周波数を選択し、シフト元周波数帯域の他の周波数を無視し、高速フーリエ変換の最大絶対値をシフト先周波数帯域の対応する周波数に割り当てることである。
【００５３】
他方で、シフト先周波数帯域がシフト元周波数帯域より大きいシナリオでは、シフト元周波数帯域の各周波数が、シフト先周波数帯域の複数の周波数で表される。これを達成するためには、二つの周波数シフト技術の一つを用いることができる。第一の周波数シフト技術は、シフト元周波数帯域の周波数の高速フーリエ変換値をシフト先周波数帯域の複数の周波数に割り当てることである。第二の周波数シフト技術は、シフト元周波数帯域の周波数の高速フーリエ変換値をシフト先周波数帯域の一つの周波数（例えば最低周波数）に割り当てることである。
【００５４】
図６は、本発明の一実施形態による、複数のハプティックサブ信号を混合するように構成されたハプティックミキサ６１０のブロック図である。前述のように、オーディオ信号６２０等の入力信号が複数のハプティックサブ信号（図６にハプティックトラックとして示される）に変換されればよく、ハプティックミキサ６１０が、ハプティックサブ信号を混合してハプティック信号にしうる。ハプティックミキサ６１０は、ハプティックサブ信号をいくつかの混合技術の一つにより混合することができ、三つの混合技術の例が図６の６３０に示されている。
【００５５】
第一の混合技術によれば、６３１でハプティックサブ信号が合計され、ハプティックサブ信号の合計を用いてハプティック信号が計算される。ある実施形態では、その後ハプティック信号は正規化される。
【００５６】
第二の混合技術によれば、６３２で各ハプティックサブ信号が複数の時間ウィンドウに分割される。６３３では、各時間ウィンドウで、対応する入力信号の一つ以上の卓越周波数が識別される。各時間ウィンドウで、元の入力信号の各周波数のパワースペクトル密度（「ＰＳＤ：ｐｏｗｅｒ  ｓｐｅｃｔｒｕｍ  ｄｅｎｓｉｔｙ」）値が計算され、ＰＳＤ値が最も高いＮ個の周波数が「支配的な周波数（ｄｏｍｉｎａｎｔ  ｆｒｅｑｕｅｎｃｉｅｓ）」として識別され、ここでＮは周波数の任意の数である。これらのＮ個の周波数は、異なる入力サブ信号により表される異なる帯域に帰属する。６３４では、Ｎ個の支配的な周波数のグループ内の周波数が最も多い帯域が、支配的な帯域として識別される。その対応するハプティックサブ信号値が、特定の時間ウィンドウで結果として生じる出力ハプティック信号に割り当てられる。
【００５７】
第三の混合技術によれば、６３５で、各入力サブ信号が、複数の時間ウィンドウに分割される。６３６では、各時間ウィンドウにつき、周波数帯域ごとのＰＳＤ値が計算され、各入力サブ信号につき周波数帯域ごとのＰＳＤ寄与率も計算される。より具体的には、各時間ウィンドウにつき、各入力サブ信号のＰＳＤ値が計算され、その時間ウィンドウの全体のＰＳＤ値が計算され、各入力サブ信号につき、入力サブ信号のＰＳＤ値の全体のＰＳＤ値に対する比が計算される。全体のＰＳＤ値に対する入力サブ信号のＰＳＤ値の比が、その特定の入力サブ信号のＰＳＤ寄与率である。６３７では、各時間ウィンドウで、各ハプティックサブ信号が、その対応する入力サブ信号のＰＳＤ寄与率に応じて重み付けされ、重み付けされたハプティックサブ信号が合計され、各時間ウィンドウのハプティックサブ信号の重み付け和に基づいてハプティック信号が計算される。
【００５８】
第三の混合技術は、入力サブ信号全体で周波数成分が大きく変化しうること、したがってハプティックサブ信号全体で大きく変化しうることに由来する。ハプティックサブ信号を合算したときには、各ハプティックサブ信号に等しい重みが与えられる。しかしこれは、元の入力サブ信号が元の入力成分にわずかに影響を及ぼしたような場合を考慮に入れることができない。ＰＳＤ寄与率に関係する重みを与えれば、各ハプティックサブ信号が、その対応する入力サブ信号の元の入力信号に対する寄与と同様に、ハプティック信号に寄与する。したがって、結果として生じる特定の時間ウィンドウのハプティック信号は、特定の時間ウィンドウの対応する入力サブ信号の元の入力信号に対する寄与率によりそれぞれ重み付けされたハプティックサブ信号を全て合計したものである。
【００５９】
図７は、本発明の一実施形態による、ハプティック変換モジュール（図１のハプティック変換モジュール１６など）の機能のフロー図である。フローが開始し、７１０に進む。７１０で、入力が受け取られる。ある実施形態では、入力信号のセグメントが受け取られうる。他の実施形態では、マルチメディアファイルが受け取られ、マルチメディアファイルから入力信号が抽出されうる。ある実施形態では、入力信号はオーディオ信号であってもよい。他の実施形態では、入力信号はビデオ信号であってもよい。他の実施形態では、入力信号は加速度信号であってもよい。その後、フローは７２０へ進む。
【００６０】
７２０では、入力が複数の入力サブ信号に分割される。ある実施形態では、入力が一つ以上のフィルタを用いてフィルタリングされればよく、各入力サブ信号は周波数帯域を含みうる。さらに、これらの実施形態の一部では、一つ以上のフィルタには、少なくとも一つの帯域通過フィルタが含まれる。その後、フローは７３０へ進む。
【００６１】
７３０で、入力サブ信号は、ハプティック信号に変換される。ある実施形態では、入力サブ信号は、分析パラメータに基づいて優先順位が付けられうる。一つ以上の入力サブ信号が選択され、選択された入力サブ信号に基づいてハプティック信号が生成されうる。これらの実施形態の一部では、分析パラメータは、入力サブ信号の特性を含みうる。さらに、入力サブ信号の特性には、周波数、継続時間、包絡線、密度、またはマグニチュードの一つが含まれうる。さらに、これらの実施形態の一部では、ハプティック信号が歪みハプティック信号に歪められ、歪みハプティック信号に基づいて一つ以上のハプティック効果が生成されうる。
【００６２】
他の実施形態では、入力サブ信号がハプティックサブ信号に変換されうる。これらの実施形態の一部では、入力サブ信号は、入力サブ信号に係数および正弦搬送波形を乗算すること、入力サブ信号に係数を乗算すること、または、周波数成分を入力サブ信号の第一周波数帯域から入力サブ信号の第二周波数帯域にシフトすることのうちの少なくとも一つにより、ハプティックサブ信号に変換されうる。さらに、これらの実施形態の一部では、各入力サブ信号は、固有のハプティック変換アルゴリズムを用いてハプティックサブ信号に変換されうる。さらに、一部の実施形態では、入力サブ信号の高速フーリエ変換が行われうる。
【００６３】
さらに、周波数成分が入力サブ信号の第一周波数帯域から入力サブ信号の第二周波数帯域にシフトされる実施形態では、シフトすることは、入力サブ信号の第一周波数帯域内の複数の周波数の複数の高速フーリエ変換値を平均し、平均を入力サブ信号の第二周波数帯域内の周波数に割り当てること、入力サブ信号の第一周波数帯域内の複数の周波数の複数の高速フーリエ変換値を合計し、合計を入力サブ信号の第二周波数帯域内の周波数に割り当てること、入力サブ信号の第一周波数帯域内の複数の周波数の複数の高速フーリエ変換値から絶対値が最大の高速フーリエ変換値を選択し、選択された高速フーリエ変換値を入力サブ信号の第二周波数帯域内の周波数に割り当てること、入力サブ信号の第一周波数帯域内の周波数の高速フーリエ変換値を、入力サブ信号の第二周波数帯域内の複数の周波数に割り当てること、または、入力サブ信号の第一周波数帯域内の周波数の高速フーリエ変換値を、入力サブ信号の第二周波数帯域内の最低周波数に割り当てることのうち少なくとも一つを含みうる。
【００６４】
ある実施形態では、その後、ハプティックサブ信号が混合されてハプティック信号にされうる。これらの実施形態の一部では、混合することは、複数のハプティックサブ信号を合計してハプティック信号にし、ハプティック信号を正規化すること、入力信号を一つ以上の時間ウィンドウに分割し、各時間ウィンドウで複数の入力サブ信号の複数の周波数を分析し、各時間ウィンドウで複数のハプティックサブ信号からハプティックサブ信号をハプティック信号として選択すること、ただし選択されたハプティックサブ信号は、複数の周波数のうちの周波数を含むものとする、または、ハプティック信号を一つ以上の時間ウィンドウに分割し、各時間ウィンドウで複数の入力サブ信号の各入力サブ信号のパワースペクトル密度寄与率を計算し、各時間ウィンドウで複数のハプティックサブ信号の重み付け合成をハプティック信号として計算すること、ただし各ハプティックサブ信号の重みは、対応する入力サブ信号のパワースペクトル密度寄与率に基づくものとする、のうちの一つを含みうる。
【００６５】
ある実施形態では、ハプティック信号は、その最大絶対値を用いて１に正規化されうる。さらに、ある実施形態では、ハプティック信号から一つ以上のノイズ振動が除去されうる。これらの実施形態の一部では、ハプティック信号から一つ以上のサンプルハプティックサブ信号が選択されうる。一つ以上の選択されたサンプルハプティックサブ信号の各選択されたサンプルハプティックサブ信号につき平均絶対値が計算されうる。各平均絶対値が、閾値と比較されうる。サンプルハプティックサブ信号は、その対応する平均絶対値が閾値未満の場合には、ハプティック信号から除去されうる。その後、フローは７４０へ進む。
【００６６】
７４０では、ハプティック信号に基づいて一つ以上のハプティック効果が生成される。一部の実施形態では、ハプティック信号が、一つ以上のハプティック効果を生成するためにハプティック出力デバイスに送られうる。これらの実施形態の一部では、ハプティック出力デバイスは、アクチュエータでありうる。その後、フローは終了する。
【００６７】
したがって、一実施形態では、システムは、入力を一つ以上の周波数帯域にフィルタリングし、一つ以上の周波数帯域を、既定の分析パラメータに基づいて分析し、優先順位を付け、優先順位付けに基づいて周波数帯域の少なくとも一つを選択することができ、選択された周波数帯域（単数または複数）を用いて、一つ以上のハプティック効果を生成するために最終的に用いられるハプティック信号を生成することができる。入力の複数の周波数帯域を分析し、優先順位付けに基づいて一つ以上の周波数帯域を選択すれば、入力全体がハプティック信号に伝えられるまたとない機会となる。より具体的には、入力の全周波数スペクトルを含めることができ、一つ以上の特定の周波数帯域、例えばユーザから見てほとんどフォアグラウンド（ｆｏｒｅｇｒｏｕｎｄ）である一つ以上の周波数帯域を選択することができる。これにより、入力の複数の周波数帯域を最初に分析せずに入力の周波数帯域を単に選択するよりも、入力に対してより「カスタマイズされた」ハプティック効果がもたらされうる。入力をフィルタリングし、入力の複数の周波数帯域に優先順位を付けることにより、システムはさらに、入力を「補う」ように生成されうるハプティック効果を「完全なものにする」ことができる。さらに、このような解決策は、将来のハプティック変換アルゴリズムによっても拡張されうる的確な解決策となりうる。
【００６８】
さらに、別の実施形態では、システムは、入力を一つ以上の周波数帯域にフィルタリングし、各周波数帯域をハプティックサブ信号に変換し、ハプティックサブ信号を混合して、一つ以上のハプティック効果を生成するために最終的に用いられるハプティック信号にすることができる。システムは、オーサリング効果等の人的介入を必要とせずに入力を「補う」強力なハプティック効果を作成しうる。このようなシステムは、タブレットまたはスマートフォン等の任意のモバイルデバイスに実装されることができ、デバイスの処理力のほかデバイスのハプティック再生コンポーネントを用いて、より豊かなビデオ視聴体験またはよりリッチな音楽視聴体験などのより豊かな体験を届けることができる。さらに、過去の解決策と異なり、このシステムは、入力の低周波数成分など、入力の特定のセグメントではなく、全ての入力にもとづいたハプティック信号の作成を試みうる。前述のように、これは、既存の周波数を与えられた入力の成分を再グループ化し、グループの周波数プロファイルに応じて、さらにハプティック再生デバイスに応じて、各グループを適切に処理することにより、達成することができる。このようなアプローチは、入力を「補う」より「完全な」ハプティック効果を生み出すことができる。
【００６９】
本明細書の全体にわたり記載された本発明の特徴、構造、または特性は、一つ以上の実施形態において任意の適切な様式で組み合わされうる。例えば、本明細書の全体にわたる「一実施形態」、「一部の実施形態」、「ある実施形態」、「ある実施形態（複数）」、または他の類似の語の使用は、実施形態に関連して記載された特定の特徴、構造、または特性が本発明の少なくとも一つの実施形態に含まれうるという事実をさす。したがって、本明細書の全体にわたって見られる「一実施形態」、「一部の実施形態」、「ある実施形態」、「ある実施形態（複数）」の語句または他の類似の語は、全てが必ずしも同じ実施形態のグループをさすわけではなく、記載された特徴、構造、または特性は、一つ以上の実施形態で任意の適切な様式で組み合わせられうる。
【００７０】
通常の技術を有する当業者は、上述の本発明が、異なる順序のステップを用いて、および／または開示されたものとは異なる構成の要素を用いて実施されうることを容易に理解するであろう。したがって、本発明はこれらの好ましい実施形態に基づいて記載されているが、一定の修正、変形、および代替的構造が明らかであり、本発明の趣旨および範囲内にもとどまることが当業者には明らかである。したがって、本発明の境界および限界を決定するためには、添付の請求の範囲が参照されなければならない。
【図１】
2019145171.tif 000003
【図２】
2019145171.tif 000004
【図３】
2019145171.tif 000005
【図４】
2019145171.tif 000006
【図５】
2019145171.tif 000007
【図６】
2019145171.tif 000008
【図７】
2019145171.tif 000009
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
分割および合成を用いて入力を一つ以上のハプティック効果に変換するための、コンピュータ実装される方法であって、
入力を受け取るステップと、
前記入力を複数の入力サブ信号に分割するステップと、
前記複数の入力サブ信号をハプティック信号に変換するステップと、
前記ハプティック信号に基づいて前記一つ以上のハプティック効果を生成するステップと、
を含む、コンピュータ実装される方法。
【請求項２】
前記入力を分割するステップは、一つ以上のフィルタを用いて前記入力をフィルタリングするステップをさらに含み、
各入力サブ信号は、周波数帯域を含む請求項１に記載のコンピュータ実装される方法。
【請求項３】
前記入力を受け取るステップは、入力信号のセグメントを受け取るステップをさらに含む、請求項２に記載のコンピュータ実装される方法。
【請求項４】
前記複数の入力サブ信号を前記ハプティック信号に変換するステップは、
分析パラメータに基づいて前記複数の入力サブ信号に優先順位を付けるステップと、
前記複数の入力サブ信号から一つ以上の入力サブ信号を選択するステップと、
一つ以上の選択された前記入力サブ信号に基づいて前記ハプティック信号を生成するステップと、を含む、請求項３に記載のコンピュータ実装される方法。
【請求項５】
前記入力を受け取るステップは、
マルチメディアファイルを受け取るステップと、
前記マルチメディアファイルから入力信号を抽出するステップと、をさらに含む、請求項２に記載のコンピュータ実装される方法。
【請求項６】
前記複数の入力サブ信号を前記ハプティック信号に変換するステップは、
前記複数の入力サブ信号を複数のハプティックサブ信号に変換するステップと、
前記複数のハプティックサブ信号を混合して前記ハプティック信号にするステップと、を含む、請求項５に記載のコンピュータ実装される方法。
【請求項７】
前記複数の入力サブ信号を前記複数のハプティックサブ信号に変換するステップは、
入力サブ信号に係数と正弦搬送波形とを乗算するステップ、
前記入力サブ信号に係数を乗算するステップ、または
周波数成分を前記入力サブ信号の第一周波数帯域から前記入力サブ信号の第二周波数帯域にシフトするステップ
の少なくとも一つをさらに含む、請求項６に記載のコンピュータ実装される方法。
【請求項８】
前記周波数成分を前記入力サブ信号の前記第一周波数帯域から前記入力サブ信号の前記第二周波数帯域にシフトするステップは、前記入力サブ信号の高速フーリエ変換を行うステップをさらに含む、請求項７に記載のコンピュータ実装される方法。
【請求項９】
前記周波数成分を前記入力サブ信号の前記第一周波数帯域から前記入力サブ信号の前記第二周波数帯域にシフトするステップは、
前記入力サブ信号の前記第一周波数帯域内の複数の周波数の複数の高速フーリエ変換値を平均し、平均を前記入力サブ信号の前記第二周波数帯域内の周波数に割り当てるステップ、
前記入力サブ信号の前記第一周波数帯域内の複数の周波数の複数の高速フーリエ変換値を合計し、合計を前記入力サブ信号の前記第二周波数帯域内の周波数に割り当てるステップ、
前記入力サブ信号の前記第一周波数帯域内の複数の周波数の複数の高速フーリエ変換値から最大絶対値を有する高速フーリエ変換値を選択し、選択された前記高速フーリエ変換値を前記入力サブ信号の前記第二周波数帯域内の周波数に割り当てるステップ、
前記入力サブ信号の前記第一周波数帯域内の周波数の高速フーリエ変換値を、前記入力サブ信号の前記第二周波数帯域内の複数の周波数に割り当てるステップ、または
前記入力サブ信号の前記第一周波数帯域内の周波数の高速フーリエ変換値を、前記入力サブ信号の前記第二周波数帯域内の最低周波数に割り当てるステップ
の少なくとも一つをさらに含む、請求項８に記載のコンピュータ実装される方法。
【請求項１０】
前記複数のハプティックサブ信号を混合して前記ハプティック信号にするステップは、
前記複数のハプティックサブ信号を合計して前記ハプティック信号にし、前記ハプティック信号を正規化するステップ、
前記ハプティック信号を一つ以上の時間ウィンドウに分割し、各時間ウィンドウで前記複数のハプティックサブ信号の複数の周波数を分析し、各時間ウィンドウで前記複数のハプティックサブ信号からハプティックサブ信号を前記ハプティック信号として選択するステップであって、選択された前記ハプティックサブ信号は、前記複数の周波数のうちの一つの周波数を含む、ステップ、または
前記入力信号を一つ以上の時間ウィンドウに分割し、各時間ウィンドウで前記複数の入力サブ信号の各入力サブ信号のパワースペクトル密度寄与率を計算し、各時間ウィンドウで前記ハプティック信号として複数の対応する前記ハプティックサブ信号の重み付け合成を計算するステップであって、各ハプティックサブ信号の重みは、各対応する入力サブ信号の前記パワースペクトル密度寄与率に基づく、ステップ
の少なくとも一つを含む、請求項６に記載のコンピュータ実装される方法。
【請求項１１】
分割および合成を用いて入力を一つ以上のハプティック効果に変換するためのシステムであって、
ハプティック変換モジュールを格納するように構成されたメモリと、
前記メモリに格納された前記ハプティック変換モジュールを実行するように構成されたプロセッサと、を含み、
前記ハプティック変換モジュールは、入力を受け取るように構成され、
前記ハプティック変換モジュールは、前記入力を複数の入力サブ信号に分割するようにさらに構成され、
前記ハプティック変換モジュールは、前記複数の入力サブ信号をハプティック信号に変換するようにさらに構成され、
前記ハプティック変換モジュールは、前記ハプティック信号に基づいて前記一つ以上のハプティック効果を生成するようにさらに構成される、システム。
【請求項１２】
前記ハプティック変換モジュールは、一つ以上のフィルタを用いて前記入力をフィルタリングするようにさらに構成され、
各入力サブ信号は、周波数帯域を含む、請求項１１に記載のシステム。
【請求項１３】
プロセッサにより実行されると請求項１から１０のいずれか一項に記載の方法を前記プロセッサに実施させる命令が格納された、コンピュータ可読媒体。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
入力信号を一つ以上のハプティック効果に変換するためのコンピュータ実装方法であって、
入力信号を受け取るステップと、
前記入力信号を複数の入力サブ信号に分割するステップであって、前記複数の入力サブ信号は前記入力信号の異なるそれぞれの周波数帯域に対応する、ステップと、
前記入力サブ信号のサブセットを複数のハプティックサブ信号に変換するステップと、
前記複数のハプティックサブ信号をハプティック信号に混合するステップと、
前記ハプティック信号に基づいて前記一つ以上のハプティック効果を生成するステップと、
を含む、コンピュータ実装方法。
【請求項２】
前記入力信号を分割するステップは、複数の周波数フィルタを用いて前記入力信号をフィルタリングするステップをさらに含む、請求項１に記載のコンピュータ実装方法。
【請求項３】
前記入力信号を受け取るステップは、
マルチメディアファイルを受け取るステップと、
前記マルチメディアファイルから前記入力信号を抽出するステップと、
をさらに含む、請求項１に記載のコンピュータ実装方法。
【請求項４】
前記入力サブ信号のサブセットの各入力サブ信号を前記複数のハプティックサブ信号のそれぞれのハプティックサブ信号に変換するステップは、
前記入力サブ信号に係数及び正弦搬送波形を乗算するステップ、
前記入力サブ信号に係数を乗算するステップ、または、
前記入力サブ信号の第一周波数帯域から前記入力サブ信号の第二周波数帯域に周波数成分をシフトするステップ
の少なくとも一つをさらに含む、請求項１に記載のコンピュータ実装方法。
【請求項５】
前記入力サブ信号の第一周波数帯域から前記入力サブ信号の第二周波数帯域に前記周波数成分をシフトするステップは、
前記入力サブ信号の前記第一周波数帯域内の複数の周波数について複数の高速フーリエ変換値を平均し、前記平均を前記入力サブ信号の前記第二周波数帯域内の周波数に割り当てるステップ、
前記入力サブ信号の前記第一周波数帯域内の複数の周波数の複数の高速フーリエ変換値を合計し、前記合計を前記入力サブ信号の前記第二周波数帯域内の周波数に割り当てるステップ、
前記入力サブ信号の前記第一周波数帯域内の複数の周波数の複数の高速フーリエ変換値から最大絶対値を有する高速フーリエ変換値を選択し、前記選択された前記高速フーリエ変換値を前記入力サブ信号の前記第二周波数帯域内の周波数に割り当てるステップ、
前記入力サブ信号の前記第一周波数帯域内の周波数の高速フーリエ変換値を、前記入力サブ信号の前記第二周波数帯域内の複数の周波数に割り当てるステップ、または、
前記入力サブ信号の前記第一周波数帯域内の周波数の高速フーリエ変換値を、前記入力サブ信号の前記第二周波数帯域内の最低周波数に割り当てるステップ
の少なくとも一つをさらに含む、請求項４に記載のコンピュータ実装方法。
【請求項６】
前記複数のハプティックサブ信号を前記ハプティック信号に混合するステップは、
前記複数のハプティックサブ信号を合計して前記ハプティック信号にし、前記ハプティック信号を正規化するステップ、
前記ハプティック信号を一つ以上の時間ウィンドウに分割し、各時間ウィンドウで前記複数のハプティックサブ信号の複数の周波数を分析し、各時間ウィンドウで前記複数のハプティックサブ信号からハプティックサブ信号を前記ハプティック信号として選択するステップであって、選択された前記ハプティックサブ信号は、前記複数の周波数のうちの一つの周波数を含む、ステップ、または、
前記入力信号を一つ以上の時間ウィンドウに分割し、各時間ウィンドウで前記複数の入力サブ信号の各入力サブ信号のパワースペクトル密度寄与率を計算し、各時間ウィンドウで前記ハプティック信号として複数の対応する前記ハプティックサブ信号の重み付け合成を計算するステップであって、各ハプティックサブ信号の重みは、各対応する入力サブ信号の前記パワースペクトル密度寄与率に基づく、ステップ
の少なくとも一つを含む、請求項１に記載のコンピュータ実装方法。
【請求項７】
入力信号を一つ以上のハプティック効果に変換するためのシステムであって、
ハプティック変換モジュールを格納するように構成されたメモリと、
前記メモリに格納された前記ハプティック変換モジュールを実行するように構成されたプロセッサと、を含み、
前記ハプティック変換モジュールは、
入力信号を受け取り、
前記入力信号を複数の入力サブ信号に分割し、前記複数の入力サブ信号は前記入力信号の異なるそれぞれの周波数帯域に対応するものであり、
前記入力サブ信号のサブセットを複数のハプティックサブ信号に変換し、
前記複数のハプティックサブ信号をハプティック信号に混合し、
前記ハプティック信号に基づいて前記一つ以上のハプティック効果を生成する
ように構成される、システム。
【請求項８】
前記ハプティック変換モジュールは、複数の周波数フィルタを用いて前記入力信号をフィルタリングするようにさらに構成される、請求項７に記載のシステム。
【請求項９】
前記ハプティック変換モジュールは、マルチメディアファイルを受け取るようにさらに構成され、
前記ハプティック変換モジュールは、前記マルチメディアファイルから前記入力信号を抽出するようにさらに構成される、請求項７に記載のシステム。
【請求項１０】
前記ハプティック変換モジュールは、
前記入力サブ信号に係数及び正弦搬送波形を乗算すること、
前記入力サブ信号に係数を乗算すること、または、
周波数成分を前記入力サブ信号の第一周波数帯域から前記入力サブ信号の第二周波数帯域にシフトすること、
の少なくとも一つによって、前記入力サブ信号の前記サブセットの各々の入力サブ信号を前記複数のハプティックサブ信号の各々のハプティックサブ信号に変換するようにさらに構成される、請求項７に記載のシステム。
【請求項１１】
前記ハプティック変換モジュールは、
前記入力サブ信号の前記第一周波数帯域内の複数の周波数について複数の高速フーリエ変換値を平均し、前記平均を前記入力サブ信号の前記第二周波数帯域内の周波数に割り当てること、
前記入力サブ信号の前記第一周波数帯域内の複数の周波数の複数の高速フーリエ変換値を合計し、前記合計を前記入力サブ信号の前記第二周波数帯域内の周波数に割り当てること、
前記入力サブ信号の前記第一周波数帯域内の複数の周波数の複数の高速フーリエ変換値から最大絶対値を有する高速フーリエ変換値を選択し、前記選択された前記高速フーリエ変換値を前記入力サブ信号の前記第二周波数帯域内の周波数に割り当てること、
前記入力サブ信号の前記第一周波数帯域内の周波数の高速フーリエ変換値を、前記入力サブ信号の前記第二周波数帯域内の複数の周波数に割り当てること、または、
前記入力サブ信号の前記第一周波数帯域内の周波数の高速フーリエ変換値を、前記入力サブ信号の前記第二周波数帯域内の最低周波数に割り当てること、
の少なくとも一つによって、前記入力サブ信号の第一周波数帯域から前記入力サブ信号の第二周波数帯域に前記周波数成分をシフトするようにさらに構成される、請求項１０に記載のシステム。
【請求項１２】
前記ハプティック変換モジュールは、
前記複数のハプティックサブ信号を合計して前記ハプティック信号にし、前記ハプティック信号を正規化すること、
前記ハプティック信号を一つ以上の時間ウィンドウに分割し、各時間ウィンドウで前記複数のハプティックサブ信号の複数の周波数を分析し、各時間ウィンドウで前記複数のハプティックサブ信号からハプティックサブ信号を前記ハプティック信号として選択することであって、選択された前記ハプティックサブ信号は、前記複数の周波数のうちの一つの周波数を含む、または、
前記入力信号を一つ以上の時間ウィンドウに分割し、各時間ウィンドウで前記複数の入力サブ信号の各入力サブ信号のパワースペクトル密度寄与率を計算し、各時間ウィンドウで前記ハプティック信号として複数の対応する前記ハプティックサブ信号の重み付け合成を計算することであって、各ハプティックサブ信号の重みは、各対応する入力サブ信号の前記パワースペクトル密度寄与率に基づく、
の少なくとも一つによって、前記複数のハプティックサブ信号を前記ハプティック信号に混合するようにさらに構成される、請求項７に記載のシステム。
【請求項１３】
プロセッサにより実行されると請求項１から６のいずれか一項に記載の方法を前記プロセッサに実施させる命令が格納された、コンピュータ可読媒体。
【外国語明細書】
2019145171000001.pdf